(57)【特許請求の範囲】
【請求項１】
ＵＨＦ周波数帯域とＶＨＦ周波数帯域を支援する低雑音増幅器であって、
第１入力フィルタ及び第２入力フィルタを有し、前記第１入力フィルタの一方の端と前記第２入力フィルタの一方の端が接続されて一つの入力信号が入力され、前記第１入力フィルタの他方の端において前記入力信号のうち第１帯域に対する第１駆動信号を発生し、前記第２入力フィルタの他方の端において前記入力信号のうち第２帯域に対する第２駆動信号を発生する信号入力部と、
第１増幅器及び第２増幅器を有し、前記第１増幅器は、前記第１駆動信号を印加されて増幅した第１出力信号を出力し、前記第２増幅器は、前記第２駆動信号を印加されて増幅した第２出力信号を出力するＬＮＡコアと、
を備え、
前記第１入力フィルタは、直列に接続された第１キャパシタ（Ｃ１）及び第１インダクタ（Ｌ１）を有し、前記入力信号のうち前記第１帯域に対する前記第１駆動信号を発生し、
前記第２入力フィルタは、直列に接続された第２キャパシタ（Ｃ２）及び第２インダクタ（Ｌ２）を有し、前記入力信号のうち前記第２帯域に対する前記第２駆動信号を発生し、
前記第１増幅器がＵＨＦ周波数帯域用増幅器であり、前記第２増幅器がＶＨＦ周波数帯域用増幅器であって、第１インダクタ（Ｌ１）のインダクタンスを第２インダクタ（Ｌ２）のインダクタンスの１／４以上１／３以下であることを特徴とする低雑音増幅器。
【請求項２】
前記第１入力フィルタは、
前記第１キャパシタ（Ｃ１）と直列に接続された複数のキャパシタ（Ｃ１１Ａ〜Ｃ１ＮＡ）をさらに有し、隣り合うキャパシタ（Ｃ１、Ｃ１１Ａ〜Ｃ１ＮＡ）の間ごとにノッチフィルタをさらに有することを特徴とする請求項１に記載の低雑音増幅器。
【請求項３】
前記ノッチフィルタは、第１フィルタ〜第Ｎフィルタを有し、前記第１フィルタは、直列に接続されたキャパシタ（Ｃ１１Ｂ）とインダクタ（Ｌ１１）を有し、前記第Ｎフィルタは、直列に接続されたキャパシタ（Ｃ１ＮＢ）とインダクタ（Ｌ１Ｎ）を有することを特徴とする請求項２に記載の低雑音増幅器。
【請求項４】
前記第２入力フィルタは、
前記第２キャパシタ（Ｃ２）と直列に接続されたキャパシタ（Ｃ２１Ａ〜Ｃ２ＮＡ）をさらに有し、隣り合うキャパシタ（Ｃ２、Ｃ２１Ａ〜Ｃ２ＮＡ）の間ごとにノッチフィルタをさらに有することを特徴とする請求項１に記載の低雑音増幅器。
【請求項５】
前記ノッチフィルタは第３フィルタを有し、前記第３フィルタは、直列に接続されたキャパシタ（Ｃ２１Ｂ）とインダクタ（Ｌ２１）を有することを特徴とする請求項４に記載の低雑音増幅器。
【請求項６】
前記第１増幅器と前記第２増幅器は共通ソース増幅器であって、前記第１増幅器の第１電流引出端と前記第２増幅器の第２電流引出端が接続されることを特徴とする請求項１に記載の低雑音増幅器。
【請求項７】
前記第１増幅器は、
第１増幅端と、第１入力端及び第１電流引出端を有し、前記第１入力端に前記第１駆動信号が印加されれば、前記第１駆動信号を増幅した前記第１出力信号を前記第１増幅端に出力することを特徴とする請求項１に記載の低雑音増幅器。
【請求項８】
前記第１入力端は前記第１インダクタ（Ｌ１）と接続され、前記第１入力端と前記第１インダクタ（Ｌ１）との間に第１可変抵抗（Ｒ１）が設けられることを特徴とする請求項７に記載の低雑音増幅器。
【請求項９】
前記第１増幅端は、第１スイッチと接続されることを特徴とする請求項７に記載の低雑音増幅器。
【請求項１０】
前記第２増幅器は、
第２増幅端と、第２入力端及び第２電流引出端を有し、前記第２入力端に前記第２駆動信号が印加されれば、前記第２駆動信号を増幅した前記第２出力信号を前記第２増幅端に出力することを特徴とする請求項１に記載の低雑音増幅器。
【請求項１１】
前記第２入力端は前記第２インダクタ（Ｌ２）と接続され、前記第２入力端と前記第２インダクタ（Ｌ２）との間に第２可変抵抗（Ｒ２）が設けられることを特徴とする請求項１０に記載の低雑音増幅器。
【請求項１２】
前記第２増幅端は、第２スイッチと接続されることを特徴とする請求項１０に記載の低雑音増幅器。
【発明の詳細な説明】
【技術分野】
【０００１】
本発明は、二重帯域低雑音増幅器（Ｄｕａｌ  Ｂａｎｄ  Ｌｏｗ  ＮｏｉｓｅＡｍｐｌｉｆｉｅｒ）に関する。
【背景技術】
【０００２】
後述する内容は単に本発明と関連する背景情報のみを提供するだけであり、従来の技術を構成するものではない。
【０００３】
ＩＳＤＢ−Ｔ（Ｉｎｔｅｇｒａｔｅｄ  Ｓｅｒｖｉｃｅ  Ｄｉｇｉｔａｌ  Ｂｒｏａｄｃａｓｔｉｎｇ−Ｔｅｒｒｅｓｔｒｉａｌ）は、ＵＨＦ（Ｕｌｔｒａ  Ｈｉｇｈ  Ｆｒｅｑｕｅｎｃｙ）の周波数帯域（約４７０ＭＨｚ〜７７０ＭＨｚ）を利用し、ＩＳＤＢ−Ｔｍｍ（Ｉｎｔｅｇｒａｔｅｄ  Ｓｅｒｖｉｃｅ  Ｄｉｇｉｔａｌ  Ｂｒｏａｄｃａｓｔｉｎｇ−Ｔｅｒｒｅｓｔｒｉａｌ  Ｍｏｂｉｌｅ  Ｍｕｌｔｉ−Ｍｅｄｉａ）は、ＶＨＦ（Ｖｅｒｙ  Ｈｉｇｈ  Ｆｒｅｑｕｅｎｃｙ）の周波数帯域（約２００ＭＨｚ〜２２２ＭＨｚ）を利用する。ＩＳＤＢ−Ｔｍｍ方式は、地上波デジタルＴＶ放送において利用中のＩＳＤＢ−Ｔ方式に基づく放送方式であり、通信と放送といった異なる特徴を有する２つの媒体の融合サービスである。
【０００４】
ＩＳＤＢ−Ｔｍｍを支援する低雑音増幅器（ＬＮＡ：Ｌｏｗ  Ｎｏｉｓｅ  Ａｍｐｌｉｆｉｅｒ）の場合、一般に、それぞれの周波数帯域を支援するための２つの増幅器を用いる。広範にＵＨＦ周波数帯域とＶＨＦ周波数帯域を支援する低雑音増幅器（ＬＮＡ）を製造して用いてもよい。しかしながら、モバイル（Ｍｏｂｉｌｅ）環境において２つの周波数帯域は互いにジャマー電力（Ｊａｍｍｅｒ  Ｐｏｗｅｒ）であって、大きな入力が発生することがある。このため、２つの周波数帯域間の干渉を低減する必要がある。加えて、ＵＨＦ周波数帯域とＶＨＦ周波数帯域との間において用いるＦＭ信号に対する周波数に対する干渉と、ＣＤＭＡ（Ｃｏｄｅ  Ｄｉｖｉｓｉｏｎ  Ｍｕｌｔｉｐｌｅ  Ａｃｃｅｓｓ）、ＬＴＥ（Ｌｏｎｇ  Ｔｅｒｍ  Ｅｖｏｌｕｔｉｏｎ）などのＵＨＦ隣接周波数帯域に対する干渉を低減する必要がある。
【０００５】
この理由から、ＵＨＦ周波数帯域とＶＨＦ周波数帯域を支援する低雑音増幅器（ＬＮＡ）において２−ポート入力端を用いると、入力端において２つの帯域を選択可能なＲＦスイッチを適用せねばならない。この場合、ＲＦスイッチ（Ｓｗｉｔｃｈ）のゲイン損失が約０．５〜０．７ｄＢ発生するため雑音指数（ＮＦ）が発生し、これは、コストアップにつながるという問題があった。
【発明の概要】
【発明が解決しようとする課題】
【０００６】
本発明は、二重帯域（Ｄｕａｌ  Ｂａｎｄ）を支援するための２−ポート入力（２−Ｐｏｒｔ  Ｉｎ−ｐｕｔ）端に同じ入力信号が印加され、ＲＦスイッチなしに二重経路のそれぞれに入力された入力信号をマッチングによって単一の入力にすることで雑音指数（ＮＦ）を改善する二重帯域低雑音増幅器を提供することにその目的がある。
【課題を解決するための手段】
【０００７】
本発明の一側面によれば、第１入力フィルタ及び第２入力フィルタを有し、前記第１入力フィルタの一方の端と前記第２入力フィルタの一方の端が接続されて一つの入力信号が入力され、前記第１入力フィルタの他方の端において前記入力信号のうち第１帯域に対する第１駆動信号を発生し、前記第２入力フィルタの他方の端において前記入力信号のうち第２帯域に対する第２駆動信号を発生する信号入力部と、第１増幅器及び第２増幅器を有し、前記第１増幅器は、前記第１駆動信号を印加されて増幅した第１出力信号を出力し、前記第２増幅器は、前記第２駆動信号を印加されて増幅した第２出力信号を出力するＬＮＡコアと、を備えることを特徴とする低雑音増幅器を提供する。
【０００８】
低雑音増幅器に設けられた前記第１入力フィルタは、直列に接続された第１キャパシタＣ１及び第１インダクタＬ１を有し、前記入力信号のうち前記第１帯域に対する前記第１駆動信号を発生し、前記第２入力フィルタは、直列に接続された第２キャパシタＣ２及び第２インダクタＬ２を有し、前記入力信号のうち前記第２帯域に対する前記第２駆動信号を発生してもよい。
【０００９】
低雑音増幅器に設けられた前記第１入力フィルタは、前記第１キャパシタＣ１と直列に接続された複数のキャパシタＣ１１Ａ〜Ｃ１ＮＡをさらに有し、隣り合うキャパシタＣ１、Ｃ１１Ａ〜Ｃ１ＮＡの間ごとにノッチフィルタ（Ｎｏｔｃｈ  Ｆｉｌｔｅｒ）をさらに有していてもよい。
【００１０】
低雑音増幅器に設けられた前記ノッチフィルタは、第１フィルタ〜第Ｎフィルタを有し、前記第１フィルタは、直列に接続されたキャパシタＣ１１ＢとインダクタＬ１１を有し、前記第Ｎフィルタは、直列に接続されたキャパシタＣ１ＮＢとインダクタＬ１Ｎを有していてもよい。
【００１１】
低雑音増幅器に設けられた前記第２入力フィルタは、前記第２キャパシタＣ２と直列に接続されたキャパシタＣ２１Ａ〜Ｃ２ＮＡをさらに有し、隣り合うキャパシタＣ２、Ｃ２１Ａ〜Ｃ２ＮＡの間ごとにノッチフィルタをさらに有していてもよい。
【００１２】
低雑音増幅器に設けられた前記ノッチフィルタは第３フィルタを有し、前記第３フィルタは、直列に接続されたキャパシタＣ２１ＢとインダクタＬ２１を有していてもよい。
【００１３】
低雑音増幅器に設けられた前記第１増幅器と前記第２増幅器は共通ソース増幅器（Ｃｏｍｍｏｎ  Ｓｏｕｒｃｅ  Ａｍｐｌｉｆｉｅｒ）であって、前記第１増幅器の第１電流引出端と前記第２増幅器の第２電流引出端が接続されてもよい。
【００１４】
低雑音増幅器に設けられた前記第１増幅器は、第１増幅端と、第１入力端及び第１電流引出端を有し、前記第１入力端に前記第１駆動信号が印加されれば、前記第１駆動信号を増幅した前記第１出力信号を前記第１増幅端に出力してもよい。
【００１５】
低雑音増幅器に設けられた前記第１入力端は前記第１インダクタＬ１と接続され、前記第１入力端と前記第１インダクタＬ１との間に第１可変抵抗Ｒ１が設けられていてもよい。
【００１６】
低雑音増幅器に設けられた前記第１増幅端は、第１スイッチと接続されてもよい。
【００１７】
低雑音増幅器に設けられた前記第２増幅器は、第２増幅端と、第２入力端及び第２電流引出端を有し、前記第２入力端に前記第２駆動信号が印加されれば、前記第２駆動信号を増幅した前記第２出力信号を前記第２増幅端に出力してもよい。
【００１８】
低雑音増幅器に設けられた前記第２入力端は前記第２インダクタＬ２と接続され、前記第２入力端と前記第２インダクタＬ２との間に第２可変抵抗Ｒ２が設けられていてもよい。
【００１９】
前記第２増幅端は、第２スイッチと接続されてもよい。
【発明の効果】
【００２０】
上述したように、本発明によれば、二重帯域を支援するための２−ポート入力端に同じ入力信号が印加され、ＲＦスイッチなしに二重経路のそれぞれに入力された入力信号をマッチングによって単一の入力にして雑音指数（ＮＦ）を改善することができるという効果がある。
【００２１】
また、本発明によれば、二重帯域を支援する２−ポート入力端の低雑音増幅器（ＬＮＡ）をＲＦスイッチ（Ｓｗｉｔｃｈ）なしに使用可能にする低雑音増幅器（ＬＮＡ）設計をしてＲＦスイッチの除去によるコストを節減することができ、雑音指数（ＮＦ）の低下を極力抑えることができるという効果がある。
【図面の簡単な説明】
【００２２】
【図１】本発明の実施形態に係る二重帯域を支援する低雑音増幅器（ＬＮＡ）の回路図である。
【図２】本発明の実施形態に係る二重帯域を支援する低雑音増幅器（ＬＮＡ）のマッチングにＲＦフィルタを追加するための回路図である。
【発明を実施するための形態】
【００２３】
以下、添付図面に基づき、本発明の実施形態に係る二重帯域低雑音増幅器について詳細に説明する。
【００２４】
説明の便宜上、以下、第１増幅器ｇｍ１に設けられたゲート（Ｇａｔｅ）と、ドレイン（Ｄｒａｉｎ）及びソース（Ｓｏｕｒｃｅ）をそれぞれ「第１入力端」と、「第１増幅端」及び「第１電流引出端」と称する。また、第２増幅器ｇｍ２に設けられたゲートと、ドレイン及びソースを「第２入力端」と、「第２増幅端」及び「第２電流引出端」と称する。
【００２５】
第１増幅器ｇｍ１と第２増幅器ｇｍ２に設けられた「ゲート」は、「ソース」と「ドレイン」との間の電流の流れを制御する。第１増幅器ｇｍ１と第２増幅器ｇｍ２に設けられた「ドレイン」とは、「ソース」から供給されたキャリアがチャネル領域を経由して素子の外部に放出される端子のことをいう。第１増幅器ｇｍ１と第２増幅器ｇｍ２に設けられた「ソース」は、電流を運搬するキャリアを供給する。ここで、第１増幅器ｇｍ１の第１電流引出端と第２増幅器ｇｍ２の第２電流引出端は、共通のグランド（Ｇｒｏｕｎｄ）に接続されてカスケード（Ｃａｓｃａｄｅ）を形成する。
【００２６】
本発明の実施形態に係る低雑音増幅器１００は、二重帯域を支援する増幅器であって、入力端にＲＦスイッチを設けることなく、単一の入力によって駆動される増幅器である。もし、入力端にＲＦスイッチを設ける場合、スイッチ損失（Ｓｗｉｔｃｈ  Ｌｏｓｓ）によって約０．５〜１ｄＢのゲイン（Ｇａｉｎ）損失が発生する。このような損失はシステム雑音指数（Ｓｙｓｔｅｍ  Ｎｏｉｓｅ  Ｆｉｇｕｒｅ）に反映されて雑音指数（ＮＦ）が入力端にＲＦスイッチを設ける前よりも約１ｄＢ低下する。
【００２７】
このため、本発明の実施形態に係る低雑音増幅器１００には、二重経路のそれぞれの入力をマッチングによって単一の入力としてくくることのできる方式が適用された。このような方式によって、低雑音増幅器１００は、それぞれ入力インピーダンスＺｉｎに対する影響によって雑音指数（ＮＦ）が低下することを極力抑えることができる。以下、低雑音増幅器１００の構成要素について説明する。
【００２８】
図１は、本発明の実施形態に係る二重帯域を支援する低雑音増幅器（ＬＮＡ）の回路図である。
【００２９】
本発明の実施形態に係る二重帯域を支援する低雑音増幅器１００は、信号入力部１１０と、ＬＮＡコア１２０と、を備える。二重帯域を支援する低雑音増幅器１００に設けられた構成要素は、必ずしもこれに限定されるものではない。
【００３０】
信号入力部１１０は、第１入力フィルタ１１２及び第２入力フィルタ１１４を備える。信号入力部１１０に設けられた第１入力フィルタ１１２の一方の端と第２入力フィルタの一方の端が接続されて一つの入力信号が入力される。信号入力部１１０に設けられた第１入力フィルタ１１２の他方の端において入力信号のうち第１帯域に対する第１駆動信号を発生し、第２入力フィルタ１１４の他方の端において入力信号のうち第２帯域に対する第２駆動信号を発生する。
【００３１】
第１入力フィルタ１１２は、直列に接続された第１キャパシタＣ１及び第１インダクタＬ１を備える。第１キャパシタＣ１の一方の端は第２キャパシタＣ２の一方の端と接続され、第１キャパシタＣ１の他方の端は第１インダクタＬ１と接続される。第１インダクタＬ１の一方の端は第１キャパシタＣ１と接続され、第１インダクタＬ１の他方の端は第１増幅器ｇｍ１と接続される。第１入力フィルタ１１２は、第１キャパシタＣ１及び第１インダクタＬ１によって入力信号のうち第１帯域に対する第１駆動信号を発生する。
【００３２】
第１キャパシタＣ１の一方の端と第２キャパシタＣ２の一方の端には、入力端ＩＮから同じ位相の信号が印加される。
【００３３】
第２入力フィルタ１１４は、直列に接続された第２キャパシタＣ２及び第２インダクタＬ２を備える。第２キャパシタＣ２の一方の端は第１キャパシタＣ１の一方の端と接続され、第２キャパシタＣ２の他方の端は第２インダクタＬ２と接続される。第２インダクタＬ２の一方の端は第２キャパシタＣ２と接続され、第２インダクタＬ２の他方の端は第２増幅器ｇｍ２と接続される。第２入力フィルタ１１４は、第２キャパシタＣ２及び第２インダクタＬ２によって入力信号のうち第２帯域に対する第２駆動信号を発生する。
【００３４】
ＬＮＡコア１２０は、第１増幅器ｇｍ１及び第２増幅器ｇｍ２を備える。第１増幅器ｇｍ１は、第１入力フィルタ１１２から第１駆動信号を印加されて増幅した第１出力信号を出力する。第２増幅器ｇｍ２は、第２入力フィルタ１１４から第２駆動信号を印加されて増幅した第２出力信号を出力する。第１増幅器ｇｍ１と第２増幅器ｇｍ２は共通ソース増幅器（Ｃｏｍｍｏｎ  Ｓｏｕｒｃｅ  Ａｍｐｌｉｆｉｅｒ）であって、第１増幅器ｇｍ１の第１電流引出端（ソース）と第２増幅器ｇｍ２の第２電流引出端（ソース）が接続される。
【００３５】
第１増幅器ｇｍ１は、第１増幅端（ドレイン）と、第１入力端（ゲート）及び第１電流引出端（ソース）を備える。第１増幅器ｇｍ１は、第１入力端に第１駆動信号が印加されれば、第１駆動信号を増幅した第１出力信号を第１増幅端に出力する。第１増幅器ｇｍ１は、ＮＭＯＳ（Ｎ−ｃｈａｎｎｅｌ  Ｍｅｔａｌ  Ｏｘｉｄｅ  Ｓｅｍｉｃｏｎｄｕｃｔｏｒ）増幅器またはＰＭＯＳ（Ｐ−ｃｈａｎｎｅｌ  Ｍｅｔａｌ  Ｏｘｉｄｅ  Ｓｅｍｉｃｏｎｄｕｃｔｏｒ）増幅器によって実現されてもよいが、図１においては、説明の便宜上、ＮＭＯＳを想定して説明する。第１入力端は第１入力フィルタ１１２の第１インダクタＬ１と接続され、第１入力端（ゲート）と第１インダクタＬ１との間に第１可変抵抗Ｒ１が設けられる。第１増幅端（ドレイン）は、第１スイッチと接続される。第１スイッチは、第１出力信号をスイッチングする。
【００３６】
第２増幅器ｇｍ２は、第２増幅端（ドレイン）と、第２入力端（ゲート）及び第２電流引出端（ソース）を備える。第２増幅器ｇｍ２は、第２入力端（ゲート）に第２駆動信号が印加されれば、第２駆動信号を増幅した第２出力信号を第２増幅端（ドレイン）に出力する。第２増幅器ｇｍ２は、ＮＭＯＳ増幅器またはＰＭＯＳ増幅器によって実現されてもよいが、図２においては、説明の便宜上、ＮＭＯＳを想定して説明する。第２入力端（ゲート）は第２入力フィルタ１１４の第２インダクタＬ２と接続され、第２入力端（ゲート）と第２インダクタＬ２との間に第２可変抵抗Ｒ２が設けられる。第２増幅端（ドレイン）は、第２スイッチと接続される。第２スイッチは、第２出力信号をスイッチングする。
【００３７】
以下、第１増幅器ｇｍ１をＩＳＤＢ−Ｔを支援するＵＨＦ周波数帯域用増幅器とし、第２増幅器ｇｍ２をＩＳＤＢ−Ｔｍｍを支援するＶＨＦ周波数帯域用増幅器として説明する。第１増幅器ｇｍ１が「ＵＨＦ周波数帯域用増幅器」であり、第２増幅器ｇｍ２が「ＶＨＦ周波数帯域用増幅器」である場合、「第２インダクタＬ２」＞「第１インダクタＬ１」及び「第２キャパシタＣ２」＞「第１キャパシタＣ１」の条件を有する。
【００３８】
第１増幅器ｇｍ１がＩＳＤＢ−ＴのＵＨＦの周波数帯域を支援する場合について説明する。ＵＨＦ周波数帯域用増幅器（第１増幅器ｇｍ１）において第２キャパシタＣ２と第２インダクタＬ２の経路であると認められる入力抵抗を最大限に大きくすれば、ＶＨＦ周波数帯域用増幅器（第２増幅器ｇｍ２）に対する雑音指数（ＮＦ）の抵抗が発生しない筈である。なお、ＶＨＦ周波数帯域用増幅器（第２増幅器ｇｍ２）においても同じ方式により雑音指数（ＮＦ）の性能変化が発生しない筈である。ＵＨＦ周波数帯域用増幅器（第１増幅器ｇｍ１）において第２インダクタＬ２が大きな値を有するのであれば、第２インダクタＬ２のインピーダンスはｊｗＬであって大きな値を有することになる。
【００３９】
ここで、「第２インダクタＬ２＝８６ｎＨ」の値が適用され得る。例えば、第２キャパシタＣ２＞＞第１キャパシタＣ１＆第２インダクタＬ２＞＞第１インダクタＬ１である場合、ＶＨＦ周波数帯域における入力インピーダンスＺｉｎ＝Ｈｉｇｈ（ｊｗＬ２↑）となり、第２キャパシタＣ２＝１００ｐＦ／第２インダクタＬ２＝８６ｎＨになり得る。
【００４０】
ＵＨＦの周波数がＶＨＦの周波数の約３倍であるため、「第１インダクタＬ１＝第２インダクタＬ２×１／３」の値を設定して、「第１インダクタＬ１＝２２ｎＨ」の値を適用することができる。例えば、第１インダクタＬ１＝（第２インダクタＬ２×１／３〜１／４）＝２２ｎＨ→ＣＤＭＡ、ＬＴＥ、ＷＩＦＩジャマー除去パフォーマンス（Ｊａｍｍｅｒ  Ｒｅｊｅｃｔｉｏｎ  Ｐｅｒｆｏｒｍａｎｃｅ）↑（向上、増加、上昇）となり、ＵＨＦ周波数＝ＶＨＦ周波数×（３〜４）であるため、第２キャパシタＣ２＝２０ｐＦになり得る。このため、ＶＨＦ周波数帯域における入力インピーダンスＺｉｎ＝Ｌｏｗであれば、ＩＳＤＢ−ＴにおけるＮＦのパフォーマンスが低下する。
【００４１】
ＵＨＦ周波数帯域用増幅器（第１増幅器ｇｍ１）は、第１インダクタＬ１の入力マッチング（Ｉｎｐｕｔ  Ｍａｔｃｈｉｎｇ）において用いる帯域の雑音が最適になるように設計されれば、雑音指数（ＮＦ）の低下は極力抑えられるような条件を有する。例えば、第１増幅器ｇｍ１は共通ソース増幅器であって、入力ＭＯＳサイズ（Ｉｎｐｕｔ  ＭＯＳ  Ｓｉｚｅ）↑→雑音指数（ＮＦ）↓→寄生容量（Ｐａｒａｓｉｔｉｃ  Ｃａｐａｃｉｔａｎｃｅ）↑→入力マッチングインダクタ（Ｉｎｐｕｔ  Ｍａｔｃｈｉｎｇ  Ｌ）↑となるため、Ｓ１１（反射損失（Ｓ１１：Ｒｅｔｕｒｎ  Ｌｏｓｓ）及び雑音指数（ＮＦ）のためのＭＯＳサイズを選択して第１インダクタＬ１を最適化させなければならない。
【００４２】
第２増幅器ｇｍ２がＩＳＤＢ−ＴｍｍのＶＨＦの周波数帯域を支援する場合について説明する。
【００４３】
ＶＨＦ周波数帯域用増幅器（第２増幅器ｇｍ２）は、第１キャパシタＣ１の入力抵抗値が雑音指数（ＮＦ）の抵抗要因となるため、第１キャパシタＣ１の値を最小限にして「１／ｊｗＣ＝ｏｐｅｎ」にせねばならない。例えば、第２キャパシタＣ２＞＞第１キャパシタＣ１＆第２インダクタＬ２＞＞第１インダクタＬ１である場合、ＵＨＦ周波数帯域における入力インピーダンスＺｉｎ＝Ｈｉｇｈ（１／ｊｗＣ１）となり、第２キャパシタＣ２＝１００ｐＦ／第２インダクタＬ２＝８６ｎＨ→ＩＳＤＢ−Ｔ／ＦＭジャマー除去パフォーマンス↑になり得る。
【００４４】
第１キャパシタＣ１の値を低減可能な限界値は、ＵＨＦ周波数帯域への影響を最小限に留める程度の値とする。「第１キャパシタＣ１＝２０ｐＦ」値が適用可能である。例えば、第１インダクタＬ１＝（第２インダクタＬ２×１／３〜１／４）＝２２ｎＨであれば、ＵＨＦ周波数＝ＶＨＦ周波数×（３〜４）であるため、第２キャパシタＣ２＝２０ｐＦになり得る。
【００４５】
「第２キャパシタＣ２＝１ｕＦ」であって、ＶＨＦ周波数帯域においてはほとんど見られない入力抵抗が適用可能である。例えば、ＶＨＦ周波数帯域における入力インピーダンスＺｉｎ＝Ｌｏｗであり、ＩＳＤＢ−ＴにおけるＮＦのパフォーマンスが低下する。第２増幅器ｇｍ２は共通ソース増幅器であるため、入力ＭＯＳサイズ↑→雑音指数（ＮＦ）↓→寄生容量↑→入力マッチングインダクタ↑となるため、Ｓ１１（反射損失）及び雑音指数（ＮＦ）のためのＭＯＳサイズを選択して第１インダクタＬ１を最適化せねばならない。
【００４６】
上述したように、キャパシタＣとインダクタＬによって相互の帯域が大きな入力抵抗として見られるように入力マッチングして各帯域の増幅器は雑音指数（ＮＦ）の性能低下を極力抑えることができる。
【００４７】
本発明の実施形態に係る低雑音増幅器１００は、第１インダクタＬ１と第２インダクタＬ２によって入力マッチング可能にせねばならない。低雑音増幅器１００の入力ＭＯＳ（Ｉｎｐｕｔ  Ｍｏｓ）のサイズを増大させれば、入力に見られる寄生容量が大きくなり、これに伴い、第１インダクタＬ１と第２インダクタＬ２の値が必要になる。ＭＯＳのサイズが増大するとは、雑音指数（ＮＦ）が向上されるということを意味する。
【００４８】
図２は、本発明の実施形態に係る二重帯域を支援する低雑音増幅器（ＬＮＡ）のマッチングにＲＦフィルタを追加するための回路図である。
【００４９】
図２に示す二重帯域を支援する低雑音増幅器１００は、ノッチフィルタをさらに備える。
【００５０】
第１入力フィルタ１１２は、第１キャパシタＣ１と直列に接続された複数のキャパシタＣ１１Ａ、Ｃ１２Ａをさらに備える。ここで、第１キャパシタＣ１と複数のキャパシタＣ１１Ａ、Ｃ１２Ａの接続順序は、必ずしも順次的であるとは限らない。
【００５１】
第１入力フィルタ１１２は、隣り合うキャパシタＣ１、Ｃ１１Ａ、Ｃ１２Ａの間ごとにノッチフィルタ（Ｎｏｔｃｈ  Ｆｉｌｔｅｒ）をさらに備える。ここで、ノッチフィルタとは、特定の周波数において急激な減衰特性を有しているフィルタのことをいう。例えば、第１入力フィルタ１１２に設けられるノッチフィルタは、ＵＨＦ周波数帯域（約４７０ＭＨｚ〜７７０ＭＨｚ）以外の周波数帯域に急激な減衰特性を適用することができる。
【００５２】
第１入力フィルタ１１２に設けられるノッチフィルタは、第１フィルタ２１２〜第２フィルタ２１４を備える。第１入力フィルタ１１２の隣り合うキャパシタであるキャパシタＣ１とキャパシタＣ１１Ａの接点と第１フィルタ２１２が接続される。第１フィルタ２１２は、直列に接続されたキャパシタＣ１１ＢとインダクタＬ１１を備える。キャパシタＣ１１Ｂの一方の端はグランドと接続され、キャパシタＣ１１Ｂの他方の端はインダクタＬ１１と接続される。インダクタＬ１１の一方の端はキャパシタＣ１１Ｂと接続され、インダクタＬ１１の他方の端は第１入力フィルタ１１２の隣り合うキャパシタであるキャパシタＣ１とキャパシタＣ１１Ａとの接点と接続される。
【００５３】
第１入力フィルタ１１２の隣り合うキャパシタであるキャパシタＣ１１ＡとキャパシタＣ１２Ａとの接点と第２フィルタ２１４が接続される。第２フィルタは、直列に接続されたキャパシタＣ１２ＢとインダクタＬ１２を備える。キャパシタＣ１２Ｂの一方の端はグランドと接続され、キャパシタＣ１２Ｂの他方の端はインダクタＬ１２と接続される。インダクタＬ１２の一方の端はキャパシタＣ１２Ｂと接続され、インダクタＬ１２の他方の端は第１入力フィルタ１１２の隣り合うキャパシタであるキャパシタＣ１１ＡとキャパシタＣ１２Ａとの接点と接続される。
【００５４】
第２入力フィルタ１１４は、第２キャパシタＣ２と直列に接続されたキャパシタＣ２１Ａをさらに備える。第２入力フィルタ１１４は、隣り合うキャパシタＣ２、Ｃ２１Ａの間ごとにノッチフィルタをさらに備える。例えば、第２入力フィルタ１１４に設けられるノッチフィルタは、ＶＨＦ周波数帯域（約２００ＭＨｚ〜２２２ＭＨｚ）以外の周波数帯域に急激な減衰特性を適用することができる。
【００５５】
第２入力フィルタ１１４に設けられるノッチフィルタは、第３フィルタ２１６を備える。もちろん、第２入力フィルタ１１４に設けられるノッチフィルタは、第３フィルタ２１６〜第Ｎフィルタを備えていてもよいが、本発明の実施形態においては、第３フィルタ２１６のみを備える場合を想定して説明する。
【００５６】
第２入力フィルタ１１４の隣り合うキャパシタであるキャパシタＣ２とキャパシタＣ２１Ａとの接点と第３フィルタ２１６が接続される。第３フィルタ２１６は、直列に接続されたキャパシタＣ２１ＢとインダクタＬ２１を備える。キャパシタＣ２１Ｂの一方の端はグランドと接続され、キャパシタＣ２１Ｂの他方の端はインダクタＬ２１と接続される。インダクタＬ２１の一方の端はキャパシタＣ２１Ｂと接続され、インダクタＬ２１の他方の端は、第２入力フィルタ１１４の隣り合うキャパシタであるキャパシタＣ２とキャパシタＣ２１Ａとの接点と接続される。
【００５７】
換言すれば、図２は、図１のマッチング技法にノッチフィルタを追加した回路図である。
【００５８】
キャパシタＣ１２Ａと、キャパシタＣ１１Ａの値は、第１キャパシタＣ１と同様に、２０ｐＦの値を維持し、インダクタＬ１２−キャパシタＣ１２Ｂ／インダクタＬ１１−キャパシタＣ１１Ｂにノッチポールを設定してフィルタを設定すれば、図１に示す回路にフィルタ性能のみを追加して用いることができる。
【００５９】
ＶＨＦ周波数帯域用増幅器（第２増幅器ｇｍ２）もこれと同様にしてフィルタを構成することができる。
【００６０】
しかしながら、ＶＨＦ周波数帯域用増幅器（第２増幅器ｇｍ２）のノッチフィルタは、キャパシタＣ２１Ａの値が大きいため、ＵＨＦ周波数帯域において小さな入力抵抗として見られる。ＵＨＦ周波数帯域用増幅器（第１増幅器ｇｍ１）においてポールとして見られ得る。
【００６１】
以上の説明は、本発明の実施形態の技術思想を例示的に説明するものに過ぎず、本発明の実施形態が属する技術分野において通常の知識を有する者であれば、本発明の実施形態の本質的な特性から逸脱しない範囲内において種々の修正及び変形を行うことが可能である。よって、これらの実施形態は、本発明の実施形態の技術思想を限定するためのものではなく、単に説明するためのものであり、これらの実施形態によって本発明の実施形態の技術思想の範囲が限定されることはない。本発明の実施形態の保護範囲は、下記の請求範囲によって解釈されなければならず、これと同等な範囲内にあるあらゆる技術思想は、本発明の実施形態の権利範囲に含まれるものと解釈さるべきである。
【符号の説明】
【００６２】
１００：低雑音増幅器
１１０：信号入力部
１１２：第１入力フィルタ
１１４：第２入力フィルタ
１２０：ＬＮＡコア 
２１０：第１フィルタ
２２０：第２フィルタ
２３０：第３フィルタ
【図１】
0005913408.tif 000002
【図２】
0005913408.tif 000003